(57)【要約】【課題】緊急時の着信を確実に実行可能とした携帯通信装置および携帯通信方法を得る。【解決手段】着信を受信し（ステップＳ１）、所定の伝言メモの音声メッセージが設定登録されている場合（ステップＳ２）、タイマーにて所定時間内の暗証番号の入力を判断し（Ｓ３、Ｓ４）、緊急着信機能が設定されている場合は（Ｓ１０）、緊急着信機能が作用し（Ｓ１１）、緊急呼出が実行される（Ｓ１３）。この状態で、緊急呼出中に通話ボタンを押下することにより（Ｓ１４）、通話状態となる（Ｓ１５）。本機能により、着信側の携帯通信装置がマナーモードやサイレントモードに設定されていても、伝言メモの内容と手順を認知した特定の発信者からの緊急連絡の受信を可能とする。さらに、緊急時通信を一機能として他の機能と並列的、或いは優先的に装備させ、通信先の通信端末装置の着信設定状態に係わりなく、緊急通信を逸早く円滑に可能とする。【選択図】　　　　図１
2004023296.tif 000002
【特許請求の範囲】
【請求項１】
所定の伝言メモの音声メッセージを設定する伝言メモ登録機能部と、
通常着信後に前記音声メッセージを再生するための手順を定めた伝言メモ再生機能部とを有し、
前記伝言メモの内容と前記手順を認知した特定の発信者からの緊急連絡の受信を可能としたことを特徴とする携帯通信装置。
【請求項２】
前記伝言メモ再生機能部は、サイレントモード、マナーモード、留守電機能等の他の付加機能に優先して稼動可能としたことを特徴とする請求項１記載の携帯通信装置。
【請求項３】
着信または通話中に前記伝言メモ再生機能部への着信を可能としたことを特徴とする請求項１または２記載の携帯通信装置。
【請求項４】
前記伝言メモ再生機能部への着信は、プッシュ音を受信し、且つ予め定めた暗証番号を識別することにより可能としたことを特徴とする請求項３記載の携帯通信装置。
【請求項５】
前記緊急連絡の着信を認識した場合の緊急着信用の着信音、着信音量、振動、ＬＥＤの点灯等を、設定可能としたことを特徴とする請求項１から４のいずれか１項に記載の携帯通信装置。
【請求項６】
所定の伝言メモの音声メッセージを設定する伝言メモ登録工程と、
通常着信後に前記音声メッセージを再生するための手順を定めた伝言メモ再生工程とを有し、
前記伝言メモの内容と前記手順を認知した特定の発信者からの緊急連絡の受信を可能としたことを特徴とする携帯通信方法。
【請求項７】
前記伝言メモ再生工程は、サイレントモード、マナーモード、留守電機能等の他の付加機能に優先して稼動可能としたことを特徴とする請求項６記載の携帯通信方法。
【請求項８】
着信または通話中に前記伝言メモ再生工程への着信を可能としたことを特徴とする請求項６または７記載の携帯通信方法。
【請求項９】
前記伝言メモ再生工程への着信は、プッシュ音を受信し、且つ予め定めた暗証番号を識別することにより可能としたことを特徴とする請求項８記載の携帯通信方法。
【請求項１０】
前記緊急連絡の着信を認識した場合の緊急着信用の着信音、着信音量、振動、ＬＥＤの点灯等を、設定可能としたことを特徴とする請求項６から９のいずれか１項に記載の携帯通信方法。
【発明の詳細な説明】
【０００１】
【発明の属する技術分野】
本発明は、携帯通信装置および携帯通信方法に関し、特に、緊急呼出し機能付の携帯通信装置および携帯通信方法に関する。
【０００２】
【従来の技術】
従来、携帯通信装置および携帯通信方法は、たとえば、携帯電話機への追加機能としてサイレントモード、マナーモード、留守電機能等が一般的に付加されている。
【０００３】
従来の携帯電話やＰＨＳ等の携帯通信装置において、緊急の要件で発信しているのにもかかわらず、着信側の携帯通信装置がサイレントモードもしくは、マナーモードに設定されていた場合には、着信音が鳴らない。
【０００４】
本発明と技術分野の類似する先願発明例１として、特開２０００−３２１２５号公報がある。本先願発明例１では、留守番サービスモードあるいはマナーモードが設定されている携帯電話機等の通信端末装置において、緊急の着信を報知可能とすることを課題としている。本課題の解決手段として、十分な期間の経過後になお着信状態である場合や、所定の期間内に所定の暗証番号の入力があった場合に、緊急の着信があると判定して着信音を鳴らす緊急報知手段を設けることとしている。この結果の効果として、通信端末装置で通信端末装置付属の留守番サービスが設定されている、あるいはマナーモードが設定されている場合であっても、緊急時の着信には着信音を鳴らして着信者に緊急の着呼であることを報知することができる、としている。
【０００５】
【発明が解決しようとする課題】
しかしながら、従来の携帯通信装置には、特定の緊急着信という概念がない、あるいは二次的に緊急着信機能が付加されている。よって、特別緊急の要件にも関わらず、着信側ユーザにはそれが伝わり難い。
従来の携帯通信装置では、マナーモードやサイレントモードに設定されていたがために着信音が鳴らず、ユーザが着信に気付かない。また、着信にユーザが気付いていても、忙しいから後で掛け直すといった場合もあると考えられる。このように、緊急呼出にも係わらず着信側ユーザが着信に気付かず、円滑な通信が行えない場合が往々としてある。
【０００６】
上記先願発明例１では、留守番サービスモードあるいはマナーモードが設定されている携帯電話機等の通信端末装置において、緊急の着信を報知可能とすることを課題としている。これは、留守番サービスモードあるいはマナーモード等の従来の付加機能を解消させて、緊急時への対応を図ったものである。
【０００７】
本発明は、緊急時通信を一機能として他の機能と並列的、或いは優先的に装備させ、通信先の通信端末装置の着信設定状態に係わり無く、このような場合の緊急通信を逸早く円滑に可能とする。なお、本発明は、網側を含めた通信システムではなく、携帯通信装置単体の機能として実装するものである。
【０００８】
本発明は、緊急時の着信を確実に実行可能とする携帯通信装置および携帯通信方法を提供することを目的とする。
【０００９】
【課題を解決するための手段】
かかる目的を達成するため、本発明の携帯通信装置は、所定の伝言メモの音声メッセージを設定する伝言メモ登録機能部と、通常着信後に前記音声メッセージを再生するための手順を定めた伝言メモ再生機能部とを有し、前記伝言メモの内容と前記手順を認知した特定の発信者からの緊急連絡の受信を可能としたことを特徴としている。
【００１０】
また、上記伝言メモ再生機能部は、サイレントモード、マナーモード、留守電機能等の他の付加機能に優先して稼動可能とし、着信または通話中に前記伝言メモ再生機能部への着信を可能とするとよい。
【００１１】
さらに、上記の伝言メモ再生機能部への着信は、プッシュ音を受信し、且つ予め定めた暗証番号を識別することにより可能とし、緊急連絡の着信を認識した場合の緊急着信用の着信音、着信音量、振動、ＬＥＤの点灯等を、設定可能とするとよい。
【００１２】
本発明の携帯通信方法は、所定の伝言メモの音声メッセージを設定する伝言メモ登録工程と、通常着信後に前記音声メッセージを再生するための手順を定めた伝言メモ再生工程とを有し、前記伝言メモの内容と前記手順を認知した特定の発信者からの緊急連絡の受信を可能としたことを特徴としている。
【００１３】
また、上記伝言メモ再生工程は、サイレントモード、マナーモード、留守電機能等の他の付加機能に優先して稼動可能とし、着信または通話中に前記伝言メモ再生工程への着信を可能とするとよい。
【００１４】
さらに、上記の伝言メモ再生工程への着信は、プッシュ音を受信し、且つ予め定めた暗証番号を識別することにより可能とし、緊急連絡の着信を認識した場合の緊急着信用の着信音、着信音量、振動、ＬＥＤの点灯等を、設定可能とするとよい。
【００１５】
【発明の実施の形態】
次に、添付図面を参照して本発明による携帯通信装置および携帯通信方法の実施の形態を詳細に説明する。図１および図２を参照すると、本発明の携帯通信装置および携帯通信方法の一実施形態が示されている。
【００１６】
（実施例の要点）
携帯通知装置に実装されている従来の伝言メモ機能を利用・活用する。ここでいう伝言メモ機能とは、携帯通信装置にて伝言メモ機能を有効に設定することにより、携帯通信装置実装機能の初期設定として予め設定しておいた時間、着信による呼出し時間が経過すると通話状態となり、着信側携帯通信装置にて予め設定しておいた音声メッセージが流れ、発信者へメッセージの録音を促し、着信側携帯通信装置にて音声メッセージを録音する機能である。
【００１７】
着信側携帯通信装置の伝言メモ機能を有効と設定し、かつ、サイレントモードを有効と設定した場合を想定して説明する。
所定の発信者から緊急の要件で発信されたとする。着信側の携帯通信装置では、呼出し中となる。予め着信側の携帯通信装置にて、設定された呼出し時間が経過すると通話状態となり、音声メッセージが流れる。このとき、携帯通信装置内で予め設定していた数桁の暗証番号を、発信側携帯通信装置のテンキーを押下することにより、着信側携帯通信装置にてプッシュ音より暗証番号を認識し、緊急着信を認識する。
【００１８】
緊急着信を認識した着信側携帯通信装置は、サイレントモードやマナーモードを有効と設定していても、予め設定しておいた緊急着信時着信音、着信音量、振動、ＬＥＤの点灯等により、着信側携帯通信装置ユーザに緊急着信を認識させる。なお、この機能の有効／無効は、携帯通信装置内でユーザが設定できるものとする。
【００１９】
（構成例）
本発明の実施例を、図を用いて説明する。
図１は、本発明の携帯通信装置内部動作のフローチャート図を示す。
図２は、本発明の動作例のシーケンスフローを示す。
【００２０】
（動作例）
本発明の動作について、図を参照して詳細に説明する。図１は、本発明の実施例における携帯通信装置内の制御動作を示すフローチャートである。
図１において、待ち受け状態にある着信側携帯通信装置が着信を受信すると（ステップＳ１）、伝言メモ設定が有効か判断する（ステップＳ２）。この判断において、無効状態の場合には通常着信へ移行し（ステップＳ４）、有効状態の場合には、タイマー（Ｔｉｍｅｒ）を開始（Ｓｔａｒｔ）させる（ステップＳ３）。
【００２１】
ＴｉｍｅｒがＴｉｍｅｏｕｔしなかった場合、つまり、Ｔｉｍｅｏｕｔする前に着信がＲｅｌｅａｓｅされた場合は、待ち受け状態へ移行し（ステップＳ７）、Ｔｉｍｅｏｕｔした場合は、通話状態１へ遷移し（ステップＳ６）、予め携帯通信装置ににて設定されている伝言メモの音声メッセージを発信する（ステップＳ８）。
【００２２】
この時、発信側の携帯通信装置より発せられた暗証番号をプッシュ音にて受信しなかった場合には、通常の伝言メモ録音へ移行する（ステップＳ１２）。暗証番号を受信した場合には、緊急着信機能を発動し（ステップＳ１１）、予め設定しておいた緊急呼出しを行う（ステップＳ１３）。この緊急着信用呼出しは、例えば、緊急着信時専用に設けられた着信音、着信音量、振動、ＬＥＤの点灯等で行う。この緊急着信専用の着信音、着信音量、振動、ＬＥＤの点灯により、緊急着信の有無を明確化する。
【００２３】
その後、通話ボタンを押下したか判断し（ステップＳ１４）、押下した場合は通話状態２へ移行する（ステップＳ１５）。押下しなかった場合は、液晶画面に“緊急着信あり”と発信者番号又は、電話帳メモリより発信者携帯番号に該当する名前を表示し（ステップＳ１６）、待ち受け状態へ遷移する（ステップＳ１７）。
【００２４】
次に、図２において、携帯通信システムとしての動作シーケンスを説明する。
発信側の携帯通信装置より発信し、着信側の携帯通信装置にて着信を受信する（２０１）。着信側の携帯通信装置は呼出し状態となり、呼出し時間カウントタイマを起動させる（２０２）。着信側の携帯通信装置にてタイムアウトを認識すると、伝言メモ音声ガイダンスを発信する（２０３）。
【００２５】
伝言メモ音声ガイダンスを聞いた発信側ユーザは、緊急発信用暗証番号をテンキー入力すると、着信側の携帯通信装置はプッシュ音にて暗証番号を認識し（２０４）、緊急着信呼出しを行い（２０５）、着信側ユーザが着信を認識し、通話状態となる（２０６）。なお、上記の緊急着信呼出し（２０５）では、専用の呼出機能が作用して、緊急着信専用の着信音、着信音量、振動、ＬＥＤの点灯により、緊急着信の有無を明確化する。
【００２６】
（実施例の効果）
前述の携帯通信装置における効果について説明する。従来の携帯通信装置の着信機能には、緊急着信という概念を持たせた機能分野がない。よって、発信側のユーザの緊急度に関わらず、着信側の携帯通信装置がマナーモードやサイレントモードに設定されていれば、着信側ユーザが緊急着信に気が付き難く、緊急時にも関わらず、迅速な対応を採ることができなかった。
【００２７】
本発明は、このような問題を解決しようというものである。本発明では、緊急着信設定機能を独自に付加することにより、緊急時に予め設定されている着信音、着信音量、振動、ＬＥＤの点灯等で緊急通信を円滑に行うことができる。
【００２８】
（他の実施例）
本発明は、携帯電話やＰＨＳ等の携帯通信装置について言及してきたが、固定電話等の有線通信装置においても実現可能である。
【００２９】
なお、上述の実施形態は本発明の好適な実施の一例である。ただし、これに限定されるものではなく、本発明の要旨を逸脱しない範囲内において種々変形実施が可能である。
【００３０】
【発明の効果】
以上の説明より明らかなように、本発明の携帯通信装置および携帯通信方法は、所定の伝言メモの音声メッセージを設定し、通常着信後に音声メッセージを再生するための手順を定めておく。これにより、伝言メモの内容と手順を認知した特定の発信者からの緊急連絡の受信が可能となる。本機能によれば、発信側のユーザの緊急度に対応し、着信側の携帯通信装置がマナーモードやサイレントモードに設定されていても、着信側ユーザが緊急着信に気が付き易く、迅速な対応を採ることができる。
【図面の簡単な説明】
【図１】本発明の携帯通信装置および携帯通信方法の実施形態を示す制御動作フローチャートである。
【図２】携帯通信システムのシーケンス例を示すチャート図である。
【符号の説明】
２０１　携帯通信装置にての着信
２０２　呼出し時間カウントタイマ起動
２０３　伝言メモ音声ガイダンス発信
２０４　暗証番号認識
２０５　緊急着信呼出し
２０６　通話状態
【図１】
2004023296.tif 000003
【図２】
2004023296.tif 000004